(57)【要約】本発明は、携帯端末機の情報表示方法及び装置に関し、メニュー進入時に、少なくとも１つのリスト項目を含むリストを表示する段階と、ユーザ入力受信時に、予め設定された情報表示規則に従って前記リスト項目を分析し、前記リスト項目各々に対して情報表示項目又は情報隠し項目を設定する段階と、前記情報表示項目を表示する段階とを含むことを特徴とする。本発明によれば、限定されたサイズの携帯端末機画面を更に効率的に使用し、ユーザに必要な情報を優先的に表示できる。【選択図】図２
2014501963.tif 000002
【特許請求の範囲】
【請求項１】
携帯端末機の情報表示方法において、
複数個の情報アイテムを含むリストを表示する段階と、
ユーザ入力受信時に、予め決定された表示規則に従って前記複数個の情報アイテムを情報表示アイテム及び情報隠しアイテムに分類する段階と、
前記情報表示項目のみが示されるように前記リストを修正する段階と、を含むことを特徴とする情報表示方法。
【請求項２】
前記予め決定された表示規則は、
前記携帯端末機において要求されるか又は常用される情報を含まない情報アイテムを情報隠しアイテムとして設定することを特徴とする請求項１に記載の情報表示方法。
【請求項３】
前記予め決定された表示規則は、
前記携帯端末機において要求されるか又は常用される情報を含む情報アイテムを情報表示アイテムとして設定することを特徴とする請求項１に記載の情報表示方法。
【請求項４】
前記予め決定された表示規則は、
前記情報アイテムに対して優先順位が設定された情報アイテムを情報表示項目として設定することを特徴とする請求項１に記載の情報表示方法。
【請求項５】
前記修正段階は、
前記情報表示アイテムを少なくとも１つの情報表示領域に表示し、前記情報隠しアイテムを少なくとも１つの情報隠し領域に表示することを特徴とする請求項１に記載の情報表示方法。
【請求項６】
前記情報隠し領域は、
前記情報隠しアイテムを構成する各々の情報アイテムが折り畳まれた形態で配列されるか、前記情報隠し領域が、空きの領域として処理されるか、又は情報隠しアイテムが含まれていることを通知するアイコンの形で表示されることを特徴とする請求項５に記載の情報表示方法。
【請求項７】
前記ユーザ入力は、
ピンチ（ｐｉｎｃｈ）入力、ソフトキーを利用した入力、連続タッチを利用した入力のうち少なくとも１つを含むことを特徴とする請求項１に記載の情報表示方法。
【請求項８】
情報を表示する携帯端末機装置において、
複数個の情報アイテムを含むリストを表示する表示部と、
情報表示設定のためのユーザ入力を受信する入力部と、
前記ユーザ入力受信時に、予め決定された表示規則に従って前記情報アイテムを情報表示アイテム及び情報隠しアイテムに分類し、前記情報表示アイテムを前記表示部に表示するように前記リストを修正するように制御する制御部と、を含むことを特徴とする装置。
【請求項９】
前記制御部は、
前記携帯端末機において要求されるか又は常用される情報を含まない情報アイテムを情報隠しアイテムに分類することを特徴とする請求項８に記載の装置。
【請求項１０】
前記制御部は、
前記携帯端末機において要求されるか又は常用される情報を含む情報アイテムを情報表示アイテムに分類することを特徴とする請求項８に記載の装置。
【請求項１１】
前記制御部は、
優先順位が設定された情報アイテムを情報表示アイテムとして設定することを特徴とする請求項８に記載の装置。
【請求項１２】
前記表示部は、
少なくとも１つの情報表示領域と、少なくとも１つの情報隠し領域を含むことを特徴とする請求項８に記載の装置。
【請求項１３】
前記制御部は、
前記情報表示アイテムを前記情報表示領域に表示し、前記情報隠しアイテムを前記情報隠し領域に表示することを特徴とする請求項１２に記載の装置。
【請求項１４】
前記情報隠し領域は、
前記情報隠しアイテムを構成する各々の情報アイテムが折り畳まれた形態で配列されるか、前記情報隠し領域が、空きの領域として処理されるか、又は情報隠しアイテムが含まれていることを通知するアイコンの形で表示されることを特徴とする請求項１３に記載の装置。
【請求項１５】
前記ユーザ入力は、
ピンチ（ｐｉｎｃｈ）入力、ソフトキーを利用した入力、連続タッチを利用した入力のうち少なくとも１つを含むことを特徴とする請求項８に記載の装置。
【発明の詳細な説明】
【技術分野】
【０００１】
本発明は、携帯端末機の情報表示方法及び装置に係り、より具体的に本発明は、予め決定された基準によって選択可能なリスト項目（アイテム）を表示する携帯端末機の情報表示方法及び装置に関する。
【背景技術】
【０００２】
最近、携帯端末機は、電子手帳機能、ゲーム機能、スケジュール管理機能等の多様な付加サービスを統合して提供するマルチメディア機器に発展する傾向にある。上記のように携帯端末機が提供する付加サービスの種類の増加に伴い、多様な種類の付加サービスを効率的に管理し利用できるユーザインターフェースは決定的な役割を果たす。
【０００３】
従来、携帯端末機は、限定されたサイズの画面に全ての情報を表示できないので、一定量の情報のみを画面に表示した。その際、ユーザは、スクロール等の行為を通じて画面を上下動して所望の情報にアクセスせざるを得なかった。ところが、携帯端末機が提供できるアプリケーション及びコンテンツの種類及び情報の数が飛躍的に増加するに伴い、ユーザに全ての種類の情報を包括的に表示することは難問になった。
【発明の概要】
【発明が解決しようとする課題】
【０００４】
本発明は、前述のような問題点を解決するためになされたもので、その目的は、情報項目（アイテム）のリストを情報の相対性を考慮して限定されたサイズの表示画面に表示できるようにする、携帯端末機の情報表示方法及び装置を提供することにある。
【課題を解決するための手段】
【０００５】
前述のような問題点を解決するために、本発明の携帯端末機の情報表示方法は、メニュー進入時に、少なくとも１つのリスト項目を含むリストを表示する段階と、ユーザ入力受信時に、予め設定された情報表示規則に従って前記リスト項目を分析し、前記リスト項目各々に対して情報表示項目又は情報隠し項目を設定する段階と、前記情報表示項目を表示する段階とを含むことを特徴とする。
【０００６】
また、本発明の情報を表示する携帯端末機装置は、少なくとも１つのリスト項目を含むリストを表示する表示部と、情報表示設定のためのユーザ入力を受信する入力部と、前記ユーザ入力受信時に、予め設定された情報表示規則に従って前記リスト項目を分析し、前記リスト項目各々に対して情報表示項目又は情報隠し項目を設定し、前記情報表示項目を前記表示部に表示するように制御する制御部とを含むことを特徴とする。
【発明の効果】
【０００７】
本発明によれば、ユーザが意図した、又はユーザが要求した情報のみを含む情報項目を有するリストを生成し、残りの情報項目は除去又は秘匿できるので、限定されたサイズの画面の利用効率を改善できる。
また、ユーザが目的の情報項目を速やかに探索できるような優先順位に従って情報項目が分類されたリストを生成できる。
更に、情報項目を情報表示項目と情報隠し項目に分類し、表示情報項目のみを表示し、情報隠し項目を装飾的に縮小表示できるので、見た目にも美しい（ａｅｓｔｈｅｔｉｃ）ユーザインタフェースを提供できる。
【図面の簡単な説明】
【０００８】
【図１】は、本発明の実施例による携帯端末機１００の内部構造を示すブロック図である。
【図２】は、本発明の実施例による携帯端末機１００の情報表示過程を示す流れ図である。
【図３】は、図２のＳ２４０段階を具体的に説明する流れ図である。
【図４】は、連絡先リストメニュー進入時に、登録された加入者を一定の順序に並べた状態を示す図である。
【図５】は、本発明の情報表示方法によって情報表示項目を表示する中間過程で情報隠し項目の表示処理方法を示す図である。
【図６】は、本発明の情報表示方法によって、表示部１３２に情報表示項目のみを表示した状態を示す図である。
【図７】は、連絡先リストメニュー進入時に、登録された加入者を一定の順序に並べた状態を示す図である。
【図８】は、本発明の情報表示方法によって情報表示項目を表示する中間過程で情報隠し項目の表示処理方法を示す図である。
【図９】は、本発明の情報表示方法によって、表示部１３２に情報表示項目のみを表示した状態を示す図である。
【図１０】は、日間日程メニュー進入時に、各時間帯別に計画された日程が羅列された状態を示す図である。
【図１１】は、本発明の第３実施例による情報表示方法によって、表示部１３２に情報表示項目が表示された状態を示す図である。
【図１２】は、Ｅメールメニュー進入時に、受信された電子メールが羅列された状態を示す図である。
【図１３】は、本発明の第４実施例による情報表示方法によって、表示部１３２に情報表示項目が表示された状態を示す図である。
【発明を実施するための形態】
【０００９】
本発明の情報アイテム（項目）というのは、リストを構成する少なくとも１つの構成要素を意味し、前記各々の情報アイテムは、情報を含んでもよく、又は含まなくてもよい。そして前記情報アイテムは、一定のサイズの表示領域に表示されるように割り当てられる。
【００１０】
また、本願発明の情報表示アイテムというのは、前記情報アイテムのうち表示部に表示されるように設定された情報アイテムを意味し、情報隠しアイテムというのは、前記情報アイテムのうち表示部に表示されないように設定された情報アイテムを意味する。ここで、情報アイテムを隠すということは、当該情報アイテムがアクティブ状態で情報表示アイテムとして表示されるべき表示領域を縮小又は削除することを意味する。
【００１１】
そして、本願発明の情報表示領域というのは、携帯端末機の表示部において前記情報表示アイテムが表示される領域を意味し、情報隠し領域というのは、携帯端末機の表示部において前記情報隠しアイテムの存在を表示する領域を意味する。
【００１２】
以下、添付の図面を参照して本発明の好ましい実施例を詳しく説明する。この際、添付の図面で同一の構成要素は、できるだけ同一の符号で参照する。また、公知機能及び構成に対する詳細な説明は、本発明の要旨を不明確にしてしまう場合は省略する。
【００１３】
図１は、本発明の実施例による携帯端末機１００の内部構造を示すブロック図である。図１に示したように、本発明の携帯端末機１００は、無線通信部１１０、オーディオ処理部１２０、タッチスクリーン部１３０、キー入力部１４０、格納部１５０及び制御部１６０を含む。
【００１４】
無線通信部１１０は、携帯端末機１００の無線通信のための当該データの送受信機能を行う。無線通信部１１０は、送信される信号の周波数を上昇変換及び増幅するＲＦ送信機と、受信される信号を低雑音増幅し、周波数を下降変換するＲＦ受信機等で構成される。また、無線通信部１１０は、無線チャネルを通じてデータを受信し、制御部１６０に出力し、制御部１６０から出力されたデータを、無線チャネルを通じて伝送する。
【００１５】
オーディオ処理部１２０は、コーデックＣＯＤＥＣで構成され、コーデックは、パケットデータ等を処理するデータコーデックと、音声等のオーディオ信号を処理するオーディオコーデックとで構成される。オーディオ処理部１２０は、デジタルオーディオ信号を、オーディオコーデックを通じてアナログオーディオ信号に変換し、スピーカーＳＰＫを通じて再生し、マイクＭＩＣから入力されるアナログオーディオ信号をオーディオコーデックを通じてデジタルオーディオ信号に変換する。
【００１６】
タッチスクリーン部１３０は、タッチセンサー部１３１及び表示部１３２を含む。タッチセンサー部１３１は、ユーザのタッチ入力を感知する。タッチセンサー部１３１は、静電容量方式（ｃａｐａｃｉｔｉｖｅ  ｏｖｅｒｌａｙ）、圧力式抵抗膜方式（ｒｅｓｉｓｔｉｖｅ  ｏｖｅｒｌａｙ）、赤外線感知方式（ｉｎｆｒａｒｅｄ  ｂｅａｍ）等のタッチ感知センサーで構成されるか、又は、圧力感知センサー（ｐｒｅｓｓｕｒｅ  ｓｅｎｓｏｒ）で構成される。
前記センサー以外にも物体の接触又は圧力を感知できる全ての種類のセンサー機器が本発明のタッチセンサー部１３１を構成できる。タッチセンサー部１３１は、ユーザのタッチ入力を感知し、感知信号を発生させて制御部１６０に伝送する。前記感知信号には、ユーザがタッチを入力した座標データが含まれる。ユーザがタッチ位置移動動作を入力した場合に、タッチセンサー部１３１は、タッチ位置移動経路の座標データを含んだ感知信号を発生させて制御部１６０に伝送する。本発明においてタッチ位置移動動作には、タッチ位置の移動速度が既定の臨界速度より大きい動作に該当するフリック（ｆｌｉｃｋ）、タッチ位置の移動速度が既定の臨界速度より小さい動作に該当するドラッグ（ｄｒａｇ）が含まれる。
【００１７】
特に、タッチセンサー部１３１は、本発明の実施例による情報表示設定のためのユーザ入力を感知する。この場合、前記ユーザ入力には、タッチセンサー部１３１に対する複数個の領域タッチ後に互いに近くなる方向にドラッグするピンチ（ｐｉｎｃｈ）入力、ダブルクリック入力、ソフトキー入力等の多様な入力があり得る。
【００１８】
表示部１３２は、液晶表示装置（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ  Ｅｍｉｔｔｉｎｇ  Ｄｉｏｄｅｓ）、能動型有機発光ダイオード（ＡＭＯＬＥＤ、Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）等で形成され、携帯端末機１００のメニュー、入力されたデータ、機能設定情報及びその他多様な情報をユーザに視覚的に提供する。表示部１３２は、携帯端末機１００の起動画面、待機画面、メニュー画面、通話処理画面、その他アプリケーション実行画面を表示する。
【００１９】
表示部１３２は、情報表示領域と情報隠し領域を提供する。この場合、前記情報表示領域は、携帯端末機の表示部において前記情報表示アイテムが表示される領域を意味し、情報隠し領域は、携帯端末機の表示部において前記情報隠しアイテムの存在有無を表示する領域を意味する。
【００２０】
また、本発明の他の実施例によれば、前記情報隠し領域は、どんな情報も含まない空き領域（ｂｌａｎｋ）として表示処理される。又は、前記情報隠し領域は、情報隠しアイテムが折り畳まれた（ｆｏｌｄｅｄ）形態でも表示される。情報隠しアイテムの前記折り畳まれた形態に関する詳しい図示は、図面を参照して後述する。
【００２１】
本発明の携帯端末機１００は、上記のようにタッチスクリーンを含んで構成されるが、以下で記述される本発明の実施例が必ずしもタッチスクリーンを具備する携帯端末機１００にのみ適用されるものではないことに留意されたい。本発明がタッチスクリーンを具備しない携帯端末機に適用される場合、図１に示すタッチスクリーン部１３０は、表示部１３２の機能のみを行うように変形適用される。
【００２２】
キー入力部１４０は、携帯端末機１００を制御するためのユーザのキー操作を入力されて入力信号を生成し、制御部１６０に伝達する。キー入力部１４０は、数字キー、方向キーを含むキーパッドと、携帯端末機１００の一面に形成された所定の機能キーで構成される。本発明の実施例によってタッチスクリーン部１３０だけで全ての操作が可能な携帯端末機の場合には、キー入力部１４０が省略され得る。特に、本発明の一実施例によれば、前記キー入力部１４０は、本発明の実施例による情報表示設定のためのソフトキーを更に含む。
【００２３】
格納部１５０は、携帯端末機１００の動作に必要なプログラム及びデータを格納する役目を行い、プログラム領域とデータ領域に区分される。プログラム領域は、携帯端末機１００の全般的な動作を制御するプログラム及び携帯端末機１００を起動させるＯＳ（Ｏｐｅｒａｔｉｎｇ  Ｓｙｓｔｅｍ）、マルチメディアコンテンツ再生等に必要な応用プログラム、携帯端末機１００のその他オプション機能、例えば、カメラ機能、音再生機能、イメージ又は動画再生機能に必要な応用プログラム等を格納する。データ領域は、携帯端末機１００の使用によって発生するデータが格納される領域であって、イメージ、動画、フォンブック、オーディオデータ等を格納する。
【００２４】
制御部１６０は、携帯端末機の各構成要素に対する全般的な動作を制御する。特に、制御部１６０は、リストを構成する各情報アイテムが例えば、ユーザの意図する情報を包含するか否かによって、当該情報アイテムを表示部１３２に表示するか又は隠すように一連の過程を制御する。そして、制御部１６０は、このために情報表示決定部１６１を更に具備する。又は、制御部１６０は、情報表示決定部１６１が機能を行うように具現される。
【００２５】
情報表示決定部１６１は、本発明の実施例による情報表示設定のためのユーザ入力感知時に、リストを構成する各情報アイテムを分析する。そして、情報表示決定部１６１は、予め設定された表示規則に従って情報表示アイテム及び情報隠しアイテムを決定する。前記表示規則は、各情報アイテムが特定情報、即ち、ユーザの意図（要求）する情報、常用（ｍｏｓｔｌｙ＿ｕｓｅｄ）情報（過去の使用頻度が或る閾値を越える情報）、及び優先順位又は他の緊急度レベルに適う情報、の何れかであるか否かによって、当該情報アイテムを表示するか又は隠すように設定された規則を意味する。
【００２６】
図２は、本発明の実施例による携帯端末機１００の情報表示過程を示す流れ図である。
まず、携帯端末機１００の制御部１６０は、Ｓ２１０段階で、特定メニュー進入時に、表示部１３２に前記メニューと関連したリスト全体を表示するように制御する。ここで、前記リストは、少なくとも１つの情報アイテムを含む。
【００２７】
そして、制御部１６０は、Ｓ２２０段階で、本発明の実施例による情報表示設定に関するユーザ入力が受信されたことを感知する。本発明の一実施例によれば、前記情報表示設定に対するユーザ入力は、例えば、タッチセンサー部１３１に対する複数個の領域タッチ後に、互いに近くなる方向にドラッグするピンチ（ｐｉｎｃｈ）入力である。しかし、必ずこれに限定されるものではなく、特定領域又はボタンキーに対する連続クリック入力、情報表示設定のために具備されたソフトキー入力等でも具現される。
【００２８】
そして、制御部１６０は、Ｓ２３０段階で、前記リストを構成する各情報アイテムを分析する。そして、制御部１６０は、Ｓ２４０段階で、前記各情報アイテムに対して、予め設定された情報表示規則に従って情報表示アイテム及び情報隠しアイテムを決定する。前述した情報表示アイテム及び情報隠しアイテムを決定するＳ２４０段階に対する具体的な決定過程が図３に示される。
【００２９】
図３は、図２のＳ２４０段階を具体的に説明する流れ図である。
制御部１６０は、Ｓ３１０段階で、各々の情報アイテムに含まれる情報を判断する。この場合、前記情報の類型は、リストの種類によって多様であり得る。例えば、当該リストが連絡先リスト（Ｃｏｎｔａｃｔ  Ｌｉｓｔ）である場合、前記情報アイテムは、アルファベットインデックス、加入者連絡先等の情報を含み得る。他の例として、当該リストが一日スケジュールである場合、前記情報アイテムは、スケジュール題目、スケジュール内容等の情報を含み得る。
【００３０】
そして、制御部１６０は、Ｓ３２０段階で、当該情報アイテムが特定情報、例えば、ユーザの意図（要求）する情報を含むか否かによってＳ３３０段階又はＳ３６０段階に分岐する。もし、当該情報アイテムが特定情報を含まない場合、Ｓ３６０段階に進行し、前記情報アイテムを情報隠しアイテムとして設定する。
【００３１】
一方、制御部１６０は、当該情報アイテムが特定情報を含む場合、Ｓ３３０段階に進行し、特定情報を含む全ての情報アイテムを表示部１３２に表示するか否かを判断する。ここで、本発明の他の実施例によれば、リスト種類によって、特定情報を含む全ての情報アイテムを全て表示するか、又は特定情報アイテムのみを表示するかは、ユーザによって予め設定される。特定情報を含む全ての情報アイテムを表示部１３２に表示する場合、制御部１６０は、Ｓ３５０段階に進行し、当該情報アイテムを情報表示アイテムとして設定する。
【００３２】
一方、特定情報を含む全ての情報アイテムを表示部１３２に表示しない場合、制御部１６０は、Ｓ３４０段階に進行する。Ｓ３４０段階に進行した制御部１６０は、以下の手続で特定情報を含む情報アイテムのうち、特定情報アイテムのみを表示部１３２に表示するように制御する。
【００３３】
このために、制御部１６０は、Ｓ３４０段階で、当該情報アイテムがリストを代表する代表情報を含むか否かを判断する。前記代表情報は、リストの種類によって多様であり得る。例えば、当該リストが連絡先リストである場合、前記代表情報は、登録された加入者を決定されたグループに分類するためのアルファベットインデックスである。他の例として、当該リストが一日スケジュールである場合、前記代表情報は、当該スケジュール内容を要約したスケジュール題目である。
【００３４】
制御部１６０は、当該情報アイテムが代表情報を含む場合、前記情報アイテムを情報表示アイテムとして設定する。一方、当該情報アイテムが代表情報を含まない場合、前記情報アイテムを情報隠しアイテムとして設定する。
【００３５】
一方、制御部１６０は、Ｓ３４０段階で、代表情報の包含有無によって情報表示アイテムを設定したが、必ずしもこれに限定されない。例えば、情報アイテム別に優先順位（又は緊急度レベル）が設定され、前記設定された優先順位によって情報表示アイテムが分類される。これに関する詳しい実施例は、後述する。
【００３６】
情報表示アイテム及び情報隠しアイテムを設定した後、制御部１６０は、再び図２のＳ２５０段階に戻る。そして、制御部１６０は、情報表示アイテムとして設定された情報アイテムを表示部１３２に表示する。この場合、本発明の実施例による制御部１６０は、前記情報表示アイテムを少なくとも１つの情報表示領域に表示する。
【００３７】
一方、制御部１６０は、情報隠しアイテムとして設定された情報アイテムを表示しないか、又は、情報隠し領域に隠された情報隠しアイテムが存在することを鍵（ｃｌｕｅ）表示する。これに関する具体的な実施例は、後述する。
以下では、具体的な実施例（第１実施例〜第４実施例）を通じて本発明の情報表示方法を具体的に説明する。
〔第１実施例〕
【００３８】
図４乃至図６は、本発明の第１実施例による情報表示方法を示す図である。
まず、図４は、連絡先リストメニュー進入時に、登録された加入者を一定の順序に並べた状態を示す図である。図４に示すように、前記連絡先リストは、少なくとも１つのアルファベット情報アイテム４１０、４２０と、少なくとも１つの加入者情報アイテム４３０、４４０を含む。この場合、前記アルファベット情報アイテム４１０、４２０は、登録された加入者を一定のグループに分類するための基準であって、連絡先リストを代表する代表情報となり得る。
【００３９】
前記の図４に示すように、限定されたサイズの表示部１３２では、登録された全ての加入者を表示できない。これにより、ユーザは、表示部１３２に表示されない特定加入者を探すためには、スクロール等の入力を通じて画面を順次、上下に移動しなければならない。本発明によれば、このような問題点を解決できるように、当該リストで代表情報のみを表示部１３２に表示することによって、従来より多い情報を表示部１３２に表示する。
【００４０】
このために、制御部１６０は、４４５のようなピンチ入力を通じて、情報表示設定のためのユーザ入力を受信したことを感知する。本実施例では、ピンチ入力を例示したが、必ずこれに限定されないことは、前述した通りである。
【００４１】
前記ユーザ入力が受信されれば、制御部１６０は、情報アイテム４１０、４２０、４３０、４４０を設定された規則に従って分析し、情報表示アイテムと情報隠しアイテムとに分類する。このために、制御部１６０は、前記の情報アイテム４１０、４２０、４３０、４４０各々が特定情報（本実施例ではユーザの意図する情報）を含む情報アイテムであるかを判断する。図４に示した実施例によれば、アルファベット情報アイテム４１０、４２０は、アルファベットインデックスという特定情報を含み、加入者情報アイテム４３０、４４０は、登録された加入者であるという特定情報を含む。従って、本実施例では、連絡先リストを構成する全ての情報アイテムが特定情報を含む。
【００４２】
そして、制御部１６０は、特定情報を含む全ての情報アイテムを表示部１３２に表示するか否かを決定する。この場合、連絡先リストは、情報表示設定入力時に、代表情報のみを表示するように予め設定できる。これにより、制御部１６０は、前記の情報アイテム４１０、４２０、４３０、４４０のうち、代表情報を有する情報アイテムを識別する。
【００４３】
前述したように、連絡先リストでは、アルファベットインデックスが登録された加入者を分類するための基準を提供できるという点で代表情報であり得る。従って、制御部１６０は、アルファベットインデックスを含むアルファベット情報アイテム４１０、４２０を情報表示アイテムとして設定し、加入者情報アイテム４３０、４４０を情報隠しアイテムとして設定する。
【００４４】
そして、制御部１６０は、前記情報表示アイテムとして設定されたアルファベット情報アイテム４１０、４２０を表示部１３２に表示するように制御する。
図５は、本発明の情報表示方法によって情報表示アイテムを表示する中間過程で情報隠しアイテムの表示処理方法を示す図である。
【００４５】
本発明の実施例によれば、情報表示時に、情報表示アイテムのみを表示部１３２に表示し、情報隠しアイテムは、表示部１３２に表示しない。この場合、ユーザに審美性あるインターフェースを提供するために、制御部１６０は、情報隠しアイテムとして設定された加入者情報アイテム４３０、４４０を隠す過程で、前記情報隠しアイテムを、図５に示したように、中間的に折り畳まれた（ｈａｌｆ＿ｆｏｌｄｅｄ）形態で表示する。一方、図５に示した折り畳まれた形態は、一実施例に過ぎず、他の変形実施例も可能である。例えば、加入者情報アイテム４３０、４４０各々が丸い曲線形態で配列されるか、又は、一部の領域が相互間に重畳される形態で重なって配列される。
【００４６】
図６は、本発明の情報表示方法によって、表示部１３２に情報表示アイテムのみを表示した状態を示す図である。
図６に示したように、本発明の一実施例によれば、表示部１３２は、少なくとも１つの情報表示領域４５０と少なくとも１つの情報隠し領域４６０を含む。前記情報表示領域４５０には、情報表示アイテムとして設定されたアルファベット情報アイテムＡ、Ｂ、Ｃ…が表示され、情報隠し領域４６０には、空きの領域として表示処理され、如何なる情報も表示されない。これにより、携帯端末機１００は、連絡先リストで代表性を有する情報アイテムのみを表示するので、ユーザは、より多くの量の情報を確認できる。
【００４７】
一方、前記の図６の説明で、情報隠し領域４６０が空きの領域として表示処理されると記述したが、他の実施例も可能である。例えば、前記情報隠し領域４６０に情報隠しアイテムが含まれていることを通知するアイコン、文具等の形で表示される。
〔第２実施例〕
【００４８】
図７乃至図９は、本発明の第２実施例による情報表示方法を示す図である。
第２実施例は、第１実施例と同様であるが、常用情報を含む情報アイテム、例えばユーザがお気に入り（又はしばしば連絡する）加入者に設定した加入者情報アイテムを情報表示アイテムとして設定し、表示部１３２に表示するという点で差異点がある。即ち、第２実施例では、任意の情報アイテムに優先順位を設定でき、これを処理する方法について記述する。
【００４９】
まず、図７は、連絡先リストメニュー進入時に、登録された加入者を一定の順序に並べた状態を示す図である。図７に示したように、前記連絡先リストは、少なくとも１つのアルファベット情報アイテム５１０、５２０と、少なくとも１つの加入者情報アイテム５１５、５２５を含む。第１実施例と同様に、アルファベット情報アイテム５１０、５２０は、連絡先リストを代表する代表情報である。
【００５０】
そして、図７に示すように、ユーザ設定によって任意の加入者に対して優先順位を設定できる。前記優先順位は、ユーザがしばしば連絡する加入者又は通話量が多いか順か、又は重要度が高い順に設定される。前記優先順位は、ユーザが予め設定することもできる。優先順位が設定された加入者には、優先順位識別記号５３０、５４０、５５０が表示される。
【００５１】
そして、制御部１６０は、５５５のようなピンチ入力を通じて、情報表示設定のためのユーザ入力を受信したことを感知する。前記ユーザ入力が受信されれば、制御部１６０は、情報アイテム５１０、５１５、５２０、５２５を設定された規則に従って分析し、情報表示アイテムと情報隠しアイテムとに分類する。このために、制御部１６０は、前記の情報アイテム５１０、５１５、５２０、５２５各々が特定情報を含む情報アイテムであるか否かを判断する。図４で記述したように、本実施例による連絡先リストを構成する情報アイテムは、いずれもユーザの意図する情報、即ち、特定情報を含む。
【００５２】
情報アイテム連絡先リストでは、アルファベットインデックスが代表情報であると想定できるので、制御部１６０は、第１実施例の場合と同様にアルファベットインデックスを含むアルファベット情報アイテム５１０、５２０を情報表示アイテムとして設定する。更に、制御部１６０は、各情報アイテムのうち優先順位が設定された情報アイテムがあるか否かを判断する。この点が第１実施例と異なる点である。そして、制御部１６０は、５３０、５４０、５５０のうち例えばユーザによって優先順位が設定された情報アイテムを識別し、優先順位が設定された情報アイテムを情報表示アイテムとして設定する。そして、制御部１６０は、情報アイテムのうち、アルファベット情報アイテム５１０、５２０及び優先順位が設定される情報アイテムを除いた残りの加入者情報アイテムを情報隠しアイテムとして設定する。
【００５３】
図８は、本発明の情報表示方法によって情報表示アイテムを表示する中間過程で情報隠しアイテムの表示処理方法を示す図である。
本発明の第２実施例による場合にも、ユーザに審美性あるインターフェースを提供するために、制御部１６０は、情報隠しアイテムとして設定された加入者情報アイテムを隠す過程で、前記情報隠しアイテムを図８に示したように中間的に折り畳まれた形態で表示する。一方、図８に示した中間的に折り畳まれた形態は、一実施例に過ぎず、他の変形実施例も可能である。例えば、加入者情報アイテム各々が丸い曲線形態で配列されるか、一部の領域が相互間重畳される形態で重なって配列される。
【００５４】
図９は、本発明の情報表示方法によって、表示部１３２に情報表示アイテムのみを表示した状態を示す図である。
図９に示すように、本発明の第２実施例によれば、表示部１３２は、少なくとも１つの情報表示領域５７０と少なくとも１つの情報隠し領域５７５を含む。前記情報表示領域５７０には、情報表示アイテムとして設定されたアルファベット情報アイテム５１０、５２０と優先順位が設定された情報アイテム５３０、５４０、５５０が表示され、情報隠し領域５７５は、空きの領域として表示処理されるか又は情報隠しアイテムが含まれていることを通知するアイコン、文具等の形で表示される。
〔第３実施例〕
【００５５】
図１０及び図１１は、本発明の第３実施例による情報表示方法を示す図である。
図１０は、日間日程メニュー進入時に、各時間帯別に計画された日程が羅列された状態を示す図である。図１０の画面構成について説明すれば、まず、日程リストは、各時間帯別情報アイテム６０１、６０２、６０３、…を含む。前記情報アイテム６０１、６０２、６０３、…は、日程情報を含まない情報アイテム６０１、…、及び、日程情報を含む情報アイテム６０２、…、を含む。この場合、個別日程６１５、６４０は、日程題目６２０、６５０及び日程内容６３０、６６０を含む。日程リストでは、特定時間にどんな日程があるかどうかを識別することが重要なので、日程題目６２０、６５０が日程リストを代表する代表情報であると想定できる。
【００５６】
そして、制御部１６０が任意の時点で情報表示設定のためのユーザ入力を受信したことを感知する。ユーザ入力が受信されれば、制御部１６０は、情報アイテム６０１、６０２、６０３、…、を設定された規則に従って分析し、情報表示アイテムと情報隠しアイテムとに分類する。このために、制御部１６０は、前記の情報アイテム６０１、６０２、６０３、…、各々が特定情報、この場合、個別日程を含む特定情報アイテムであるか否かを判断する。前述したように、日程リストは、特定情報を含まない情報アイテム６０１及び特定情報を含む情報アイテム６２０、６３０、６５０、６６０を含む。制御部１６０は、まず、特定情報を含まない情報アイテムを情報隠しアイテムとして設定する。
【００５７】
そして、制御部１６０は、特定情報を含む全ての情報アイテムを表示部１３２に表示するか否かを判断する。この場合、日程リストは、情報表示設定入力時に、代表情報のみを表示するように予め設定される。ここで、前記日程題目６２０、６５０は、日程リストで代表性を有する情報である。即ち、制御部１６０は、特定の日程題目を有するアイテムを情報表示アイテムとして設定する。これにより、制御部１６０は、特定情報を有する情報アイテム６２０、６３０、６５０、６６０のうち、代表情報を有する情報アイテムを識別する。
【００５８】
図１１は、本発明の第３実施例による情報表示方法によって、表示部１３２に情報表示アイテムが表示された状態を示す図である。
図１１に示したように、本発明の第３実施例によれば、表示部１３２は、少なくとも１つの情報表示領域６９０と少なくとも１つの情報隠し領域６９５を含むことができる。前記情報表示領域６９０には、情報表示アイテムとして設定された日程題目情報アイテム６２０、６５０、６７０、６８０が表示され、情報隠し領域６９５は、空きの領域として表示処理されるか、又は、情報隠しアイテムが含まれていることを通知するアイコン、文具等の情報の形で表示される。
【００５９】
また、図１１に示したように、情報隠し領域６９５は、各情報アイテムが中間的に折り畳まれた形態で表現可能であり、又は、各情報アイテムが丸い曲線形態で配列されるか、一部の領域が相互間重畳される形態で重なって配列されて表現可能である。
〔第４実施例〕
【００６０】
図１２及び図１３は、本発明の第４実施例による情報表示方法を示す図である。
図１２は、Ｅメールメニュー進入時に、受信された電子メールが羅列された状態を示す図である。図１２に示したように、電子メールリストは、未読（ユーザによって読み出されていない）電子メール情報アイテム７１０及び既読（ユーザによって確認された）電子メール情報アイテム７２０を含む。本実施例では、ユーザによって未読電子メール情報アイテム７１０のみを表示しようとするので、未読電子メール情報アイテム７１０が既読電子メール情報アイテム７２０よりも優先順位が高く設定される。
【００６１】
そして、制御部１６０は、任意の時点で情報表示設定のためのユーザ入力を受信したことを感知する。ユーザ入力が受信されれば、制御部１６０は、情報アイテム７１０、７２０を設定された規則に従って分析し、情報表示アイテムと情報隠しアイテムとに分類する。このために、制御部１６０は、各情報アイテム７１０、７２０各々が特定情報（ユーザの意図する情報、この場合、個別メール内容情報）を含む情報アイテムであるか否かを判断する。本実施例によれば、各情報アイテム７１０、７２０は、いずれもメール内容に該当する情報を含む。
【００６２】
これにより、制御部１６０は、情報を含む全ての情報アイテム７１０、７２０を表示部１３２に表示するか否かを判断する。この場合、電子メールリストは、情報表示設定入力時に、未読電子メール情報アイテムのみを表示するように予め設定される。これにより、制御部１６０は、特定情報を有する情報アイテム７１０、７２０のうち代表情報を含むか又は優先順位が高く設定された情報アイテムを識別する。
【００６３】
前述したように、電子メールリストでは、ユーザによって未読電子メール情報アイテム７１０が、既読電子メール情報アイテム７２０よりも高い優先順位に設定される。これにより、制御部１６０は、未読電子メール情報アイテム７１０を情報表示アイテムとして設定し、既読電子メール情報アイテム７２０を情報隠しアイテムとして設定する。
【００６４】
そして、制御部１６０は、前記情報表示アイテムとして設定された未読電子メール情報アイテム７１０を表示部１３２に表示するように制御する。
【００６５】
図１３は、本発明の第４実施例による情報表示方法によって、表示部１３２に情報表示項目が表示された状態を示す図である。
図１３に示したように、本発明の第４実施例によれば、表示部１３２には、ユーザの未読電子メール情報アイテムだけが表示される。
【００６６】
本明細書と図面に開示した本発明の実施例は、本発明の技術内容を容易に説明し、本発明の理解を助けるために特定例を提示したものに過ぎず、本発明の範囲を限定するものではない。ここに開示した実施例以外にも本発明の技術的思想に基づく他の変形例が実施可能であるということは、本発明が属する技術分野における通常の知識を有する者に自明であろう。
【符号の説明】
【００６７】
１１０  無線通信部
１２０  オーディオ処理部
１３０  タッチスクリーン部
１３１  タッチセンサー部
１３２  表示部
１４０  キー入力部
１５０  格納部
１６０  制御部
１６１  情報表示決定部
４１０、４２０  アルファベット情報アイテム
４２０、４３０  加入者情報アイテム
４４５  ピンチ入力
４５０、５７０、６９０  情報表示領域
４６０、５７５、６９５  情報隠し領域
５１０、５２０  アルファベット情報アイテム
５１５、５２５  加入者情報アイテム
５３０、５４０、５５０  優先順位識別記号
６０１、６０２、６０３  時間帯別情報アイテム
６１５、６４０  個別日程
６２０、６５０、６７０、６８０  日程題目
６３０、６６０  日程内容
７１０  未読電子メール情報アイテム
７２０  既読電子メール情報アイテム
【図１】
2014501963.tif 000003
【図２】
2014501963.tif 000004
【図３】
2014501963.tif 000005
【図４】
2014501963.tif 000006
【図５】
2014501963.tif 000007
【図６】
2014501963.tif 000008
【図７】
2014501963.tif 000009
【図８】
2014501963.tif 000010
【図９】
2014501963.tif 000011
【図１０】
2014501963.tif 000012
【図１１】
2014501963.tif 000013
【図１２】
2014501963.tif 000014
【図１３】
2014501963.tif 000015
2014501963.tif 000016
2014501963.tif 000017
2014501963.tif 000018
2014501963.tif 000019
2014501963.tif 000020
2014501963.tif 000021
2014501963.tif 000022
2014501963.tif 000023
2014501963.tif 000024
2014501963.tif 000025
2014501963.tif 000026
2014501963.tif 000027
2014501963.tif 000028
【国際調査報告】
2014501963.tif 000029
2014501963.tif 000030